(57)【要約】【課題】移動局装置及びチャネル品質情報の送信方法に関し、チャネル品質情報送信の欠落が発生する場合に、より正確なチャネル品質情報の情報を伝達可能にする。【解決手段】基地局からの下り制御チャネル（ＰＤＣＣＨ）を受信するモニタ期間（On Duration）と異周波数信号の測定期間とを交互に切り替え、モニタ期間における無線チャネルのＣＱＩを、該モニタ期間の上り制御チャネル（ＰＵＣＣＨ）で基地局へ送信する際に、下り制御チャネル（ＰＤＣＣＨ）の制御データ（例．０６）が自局宛のものであるとき、モニタ期間を延長し、該延長したモニタ期間でＣＱＩを送信する場合、該ＣＱＩを送信することができないタイミング（０７）を判定し、そのＣＱＩを、次に送信可能なタイミング（１２）で送信するＣＱＩに反映させて送信する。【選択図】図１
2010141666.tif 000002
【特許請求の範囲】
【請求項１】
基地局からの下り制御チャネルを受信するモニタ期間と異周波数信号の測定期間とを交互に切り替えるとともに、前記モニタ期間における前記基地局との無線チャネルの状況を示すチャネル品質情報を、該モニタ期間の上り制御チャネルで前記基地局へ送信する移動局装置において、
前記下り制御チャネルの制御データが自局宛のものであるとき、前記モニタ期間を延長し、該延長したモニタ期間で前記品質情報を送信する際に、該チャネル品質情報を送信することができないタイミングを判定する品質情報の送信判定手段と、
前記送信することができないタイミングで送信すべきチャネル品質情報を、次に送信可能なタイミングで送信するチャネル品質情報に反映させるチャネル品質情報の処理手段と、
を備えたことを特徴とする移動局装置。
【請求項２】
前記チャネル品質情報の処理手段は、送信することができないタイミングで送信すべきチャネル品質情報の値のデータを、次に送信可能なタイミングで送信するチャネル品質情報の値のデータに追加する処理を行うことを特徴とする請求項１に記載の移動局装置。
【請求項３】
前記チャネル品質情報の処理手段は、送信することができないタイミングで送信すべきチャネル品質情報の値と、次に送信可能なタイミングで送信するチャネル品質情報の値との平均値を算出し、該平均値を次に送信可能なタイミングで送信するチャネル品質情報として出力することを特徴とする請求項１に記載の移動局装置。
【請求項４】
前記チャネル品質情報の処理手段は、送信することができないタイミングで送信すべきチャネル品質情報の値と、次に送信可能なタイミングで送信するチャネル品質情報の値とに重みを付けた平均値を算出し、該平均値を次に送信可能なタイミングで送信するチャネル品質情報として出力することを特徴とする請求項１に記載の移動局装置。
【請求項５】
基地局からの下り制御チャネルを受信するモニタ期間と異周波数信号の測定期間とを交互に切り替えるとともに、前記モニタ期間における前記基地局との無線チャネルの状況を示すチャネル品質情報を、該モニタ期間の上り制御チャネルで前記基地局へ送信する移動局におけるチャネル品質情報の送信方法において、
前記下り制御チャネルの制御データが自局宛のものであるとき、前記モニタ期間を延長し、該延長したモニタ期間で前記チャネル品質情報を送信する際に、該チャネル品質情報を送信することができないタイミングを判定する第１のステップと、
前記送信することができないタイミングで送信すべきチャネル品質情報の値を、次に送信可能なタイミングで送信するチャネル品質情報の値に反映させる第２のステップと、
を含むことを特徴とするチャネル品質情報の送信方法。
【発明の詳細な説明】
【技術分野】
【０００１】
本発明は、移動局装置及びチャネル品質情報の送信方法に関する。特に、無線基地局と移動局装置間の無線リソース管理（ＲＲＣ：Radio Resource Control）コネクションにおける間欠受信（ＤＲＸ:Discontinuous Reception）制御が行われる際のチャネルクォリティインディケータ（ＣＱＩ）の送信に用いられると好適である。
【背景技術】
【０００２】
第三世代携帯電話システムの国際標準化団体である３ＧＰＰ（3rd Generation Partnership Project）では、無線基地局と移動局装置との間における新たな通信規格であるＬＴＥ（Long Term Evolution）による無線通信システムが検討されている。その無線通信システムの１つの機能として、無線リソース管理（ＲＲＣ）コネクションにおける間欠受信（ＤＲＸ）制御がある。
【０００３】
間欠受信（ＤＲＸ）制御は省電力を目指した機能であり、図３に間欠受信（ＤＲＸ）制御の動作概要を示す。移動局装置は下り制御チャネル（ＰＤＣＣＨ：Physical Downlink Control Channel）を間欠的に受信し、サービング基地局からの下り制御チャネル（ＰＤＣＣＨ）をオン・デュレーション３−１の期間のみモニタして、自局宛のデータが有るか否かを監視する。
【０００４】
そして、図３に示す間欠受信オポテュニティ（Opportunity for DRX）３−２の期間では、サービング基地局からの下り制御チャネル（ＰＤＣＣＨ）のモニタを行わず、ハンドオーバのために異周波数信号の測定を行う。このオン・デュレーションの期間３−１及び間欠受信オポテュニティ（Opportunity for DRX）の期間３−２の２つの期間で、間欠受信周期（DRX Cycle）３−３が構成され、この間欠受信周期（DRX Cycle）３−３で間欠受信が繰り返される。
【０００５】
また、高速フェージングに追従したリンクアダプテーション（例えば、送信電力制御や適応変調符号化等）を実施するために、移動局装置は、サービング基地局へ無線チャネルの状況を示すチャネルクォリティインディケータ（ＣＱＩ）を繰り返し送信する。
【０００６】
図４にチャネルクォリティインディケータ（ＣＱＩ）の送信動作例を示す。同図において、（ａ）は間欠受信周期（DRX Cycle）のモニタ期間を示す。（ｂ）は下り制御チャネル（ＰＤＣＣＨ）の各サブフレームを示す。（ｃ）はチャネルクォリティインディケータ（ＣＱＩ）の送信スケジューリング信号を示す。（ｄ）はチャネルクォリティの測定期間を示す。（ｅ）は上り制御チャネル（ＰＵＣＣＨ）の各サブフレームを示す。
【０００７】
移動局装置が下り制御チャネル（ＰＤＣＣＨ）をモニタするのは、モニタ期間であるオン・デュレーションの期間のみであり、図４の例ではサブフレーム番号が０１から０６までの期間である。また、移動局装置が上り制御チャネル（ＰＵＣＣＨ）で制御データを送信することができる期間は、下り制御チャネル（ＰＤＣＣＨ）のモニタ期間と同一の期間と規定されているため、上り制御チャネル（ＰＵＣＣＨ）のサブフレーム番号が０１から０６までの期間である。
【０００８】
上り制御チャネル（ＰＵＣＣＨ）でチャネルクォリティインディケータ（ＣＱＩ）情報を送信するタイミングは、基地局からの指示によりスケジューリングされ、例えば図４の（ｃ）に示すＣＱＩ送信スケジューリング信号により指示されるタイミングで上り制御チャネル（ＰＵＣＣＨ）のサブフレームで送信される。
【０００９】
図４の例においては、ＣＱＩ送信スケジューリング信号により指示されるチャネルクォリティインディケータ（ＣＱＩ）の送信タイミングは、サブフレーム番号が０２と０７のタイミングであるが、上り制御チャネル（ＰＵＣＣＨ）の送信可能期間は、オン・デュレーション期間のサブフレーム番号０１から０６までの期間であるため、実際にチャネルクォリティインディケータ（ＣＱＩ）を送信するのは、サブフレーム番号０２のサブフレームのみとなる。
【００１０】
間欠受信（ＤＲＸ）制御については下記の非特許文献１等に記載されている。また、チャネルクォリティインディケータ（ＣＱＩ）を送信の送信については、例えば下記の特許文献１，２等に記載されている。
【非特許文献１】３ＧＰＰ  ＴＳ３６．３００  Ｖ８．５．０（２００８−０５）
【特許文献１】特開２００７−２０２０９６号公報
【特許文献２】特開２００８−５４１２５号公報
【発明の開示】
【発明が解決しようとする課題】
【００１１】
モニタ期間（オン・デュレーション期間）に移動局装置が自局宛の下り制御チャネル（ＰＤＣＣＨ）を受信した場合、移動局装置では不活性化タイマ（Inactivity Timer）を起動し、当該不活性化タイマ（Inactivity Timer）による計時期間が満了するまで、下り制御チャネル（ＰＤＣＣＨ）のモニタ期間を延長する。この動作例を図５に示す。
【００１２】
図５において、（ａ）は間欠受信周期（DRX Cycle）のモニタ期間を示す。（ｂ）は下り制御チャネル（ＰＤＣＣＨ）の各サブフレームを示す。（ａ’）は不活性化タイマ（Inactivity Timer）の出力信号を示す。（ｃ）はチャネルクォリティインディケータ（ＣＱＩ）の送信スケジューリング信号を示す。（ｄ）はチャネルクォリティの測定期間を示す。（ｅ）は上り制御チャネル（ＰＵＣＣＨ）の各サブフレームを示す。
【００１３】
図５において、下り制御チャネル（ＰＤＣＣＨ）のサブフレーム番号０６のサブフレームで自局宛の制御データが受信されたとすると、該移動局装置では（ａ’）に示すように不活性化タイマ（Inactivity Timer）を起動し、当該不活性化タイマ（Inactivity Timer）による計時期間が満了するまで、即ちサブフレーム番号１３まで下り制御チャネル（ＰＤＣＣＨ）のモニタ期間を延長する。
【００１４】
上り制御チャネル（ＰＵＣＣＨ）の送信可能期間は、下り制御チャネル（ＰＤＣＣＨ）のモニタ期間と同一であるので、上り制御チャネル（ＰＵＣＣＨ）もサブフレーム番号１３まで延長され、サブフレーム番号０１から１３までの期間が送信可能期間となる。この場合、ＣＱＩスケジューリング信号の指示により、上り制御チャネル（ＰＵＣＣＨ）のサブフレーム番号０２，０７，１２でチャネルクォリティインディケータ（ＣＱＩ）を送信することとなる。
【００１５】
図５の動作例の場合、サブフレーム番号０６のタイミングで受信した制御データが自局宛であるか否かを判定し、自局宛でない場合は、図４の動作例のようにサブフレーム番号０７でチャネルクォリティインディケータ（ＣＱＩ）を送信せず、自局宛である場合は、その直後のサブフレーム番号０７のタイミングでチャネルクォリティインディケータ（ＣＱＩ）を送信することになる
【００１６】
しかし、サブフレーム番号０６のタイミングで受信した制御データが自局宛か否かを判定し、その直後のサブフレーム番号０７のタイミングでチャネルクォリティインディケータ（ＣＱＩ）を送信することは、要処理時間の制約から時間的に困難である。
【００１７】
このように、間欠受信周期（DRX Cycle）のモニタ期間（オン・デュレーション期間）の終了直前のサブフレームで、下り制御チャネル（ＰＤＣＣＨ）から自局宛の制御データを受信し、その直後のサブフレームでチャネルクォリティインディケータ（ＣＱＩ）を送信するスケジュールとなっていた場合、その直後のサブフレームではチャネルクォリティインディケータ（ＣＱＩ）を送信することができないことがある。
【００１８】
従って、チャネルクォリティインディケータ（ＣＱＩ）を送信すべき期間であるにも拘わらず、チャネルクォリティインディケータ（ＣＱＩ）を送信することができない場合が発生する。そのため、チャネルクォリティインディケータ（ＣＱＩ）の欠落により正確な無線リンク制御ができなくなってしまう。そこで、チャネル品質情報（例えばチャネルクォリティインディケータ：ＣＱＩ）送信の欠落が発生する場合にも、正確なチャネル品質情報の情報を伝達可能にすることを目的とする。
【課題を解決するための手段】
【００１９】
上記課題を解決する第１の形態としての移動局装置は、下り制御チャネルの制御データが自局宛のものであるとき、モニタ期間を延長し、該延長したモニタ期間でチャネル品質情報を送信する際に、該チャネル品質情報を送信することができないタイミングを判定するチャネル品質情報の送信判定手段と、前記送信することができないタイミングで送信すべきチャネル品質情報を、次に送信可能なタイミングで送信するチャネル品質情報に反映させるチャネル品質情報の処理手段と、を備えたものである。
【００２０】
また、第２の形態としてのチャネル品質情報の送信方法は、下り制御チャネルの制御データが自局宛のものであるとき、モニタ期間を延長し、該延長したモニタ期間でチャネル品質情報を送信する際に、該チャネル品質情報を送信することができないタイミングを判定する第１のステップと、前記送信することができないタイミングで送信すべきチャネル品質情報の値を、次に送信可能なタイミングで送信するチャネル品質情報の値に反映させる第２のステップと、を含むものである。
【発明の効果】
【００２１】
開示の移動局装置及びチャネル品質情報の送信方法によれば、チャネル品質情報（例えばチャネルクォリティインディケータ：ＣＱＩ）送信の欠落が発生する場合においても、正確なチャネル品質情報を伝達することが可能になる。
【発明を実施するための最良の形態】
【００２２】
図１は開示のチャネル品質情報の送信動作例を示す。なお、以下チャネルクォリティインディケータ（ＣＱＩ）をチャネル品質情報の例として説明する。同図において、（ａ）は間欠受信周期（DRX Cycle）のモニタ期間を示す。（ｂ）は下り制御チャネル（ＰＤＣＣＨ）の各サブフレームを示す。（ａ’）は不活性化タイマ（Inactivity Timer）の出力信号を示す。（ｃ）はチャネルクォリティインディケータ（ＣＱＩ）の送信スケジューリング信号を示す。（ｄ）はチャネルクォリティの測定期間を示す。（ｅ）は上り制御チャネル（ＰＵＣＣＨ）の各サブフレームを示す。
【００２３】
図１の動作例において図５と同様の動作については説明は省略する。図１では、サブフレーム番号０７のように、チャネルクォリティインディケータ（ＣＱＩ）を送信すべき期間であるにも拘わらず、送信することができない状況が発生した場合に、サブフレーム番号０７で送信しようとしたチャネルクォリティインディケータ（ＣＱＩ）を廃棄するのではなく、次の送信可能なサブフレーム番号１２で送信するチャネルクォリティインディケータ（ＣＱＩ）に反映させて送信する。
【００２４】
図２にチャネルクォリティインディケータ（ＣＱＩ）の送信機能の構成例を示す。この構成例では、欠落するチャネルクォリティインディケータ（ＣＱＩ）を、次に送信するチャネルクォリティインディケータ（ＣＱＩ）と平均して反映させる構成例を示している。
【００２５】
図２において、オン・デュレーション・タイマ２−１は、間欠受信周期（DRX Cycle）における下り制御チャネル（ＰＤＣＣＨ）のモニタ期間（オン・デュレーション期間）を示す信号を、ＰＤＣＣＨモニタ部２−２に送出する。
【００２６】
ＰＤＣＣＨモニタ部２−２は、オン・デュレーション・タイマ２−１の出力信号によって指示されるモニタ期間に、下り制御チャネル（ＰＤＣＣＨ）の信号を入力し、下り制御チャネル（ＰＤＣＣＨ）のデータが自局宛のデータかどうかを判定する。
【００２７】
下り制御チャネル（ＰＤＣＣＨ）のデータが自局宛のデータであった場合は、不活性化タイマ（Inactivity Timer）部２−３に対してタイマ起動を要求する。不活性化タイマ（Inactivity Timer）部２−３は、タイマ起動によってモニタ延長期間を示す信号を出力する。
【００２８】
なお、ＰＤＣＣＨモニタ部２−２には、オン・デュレーション・タイマ２−１及び不活性化タイマ（Inactivity Timer）部２−３から、下り制御チャネル（ＰＤＣＣＨ）のモニタ期間及び延長期間を示す信号が入力され、その両者の信号の論理和信号で示される期間が、下り制御チャネル（ＰＤＣＣＨ）モニタ期間となる。
【００２９】
ＣＱＩ送信スケジューリング部２−４は、サービング基地局から制御信号によって指示されるタイミングで、チャネルクォリティインディケータ（ＣＱＩ）の送信タイミングを表す信号を、ＣＱＩ測定部２−５及びＣＱＩ送信判定部２−６に出力する。
【００３０】
ＣＱＩ測定部２−５は、サービング基地局との無線チャネルの状況を測定するためのリファレンス信号を入力し、チャネルクォリティインディケータ（ＣＱＩ）の送信スケジュール信号に従って、無線チャネルのチャネルクォリティを測定し、チャネルクォリティインディケータ（ＣＱＩ）を算出し、ＣＱＩ平均処理部２−７へ出力する。
【００３１】
ＣＱＩ送信判定部２−６は、オン・デュレーション・タイマ２−１及び不活性化タイマ（Inactivity Timer）部２−３から出力されるチャネルクォリティインディケータ（ＣＱＩ）を送信すべき期間を示す信号と、ＣＱＩ送信スケジューリング部２−４から出力されるチャネルクォリティインディケータ（ＣＱＩ）送信サブフレーム位置情報とにより、チャネルクォリティインディケータ（ＣＱＩ）送信可能サブフレームを判定し、チャネルクォリティインディケータ（ＣＱＩ）送信可能サブフレーム情報をＰＵＣＣＨ生成部２−８に出力する。
【００３２】
また、ＣＱＩ送信判定部２−６は、不活性化タイマ（Inactivity Timer）部２−３が起動された際の起動判定タイミング（自局宛て下り制御チャネルの判定タイミング）の情報を入力し、当該起動判定タイミングから十分な要処理期間が無いタイミングのチャネルクォリティインディケータ（ＣＱＩ）送信サブフレーム位置情報に対して、送信不可であると判定して、当該判定結果をＣＱＩ平均処理部２−７に通知する。
【００３３】
ＣＱＩ平均処理部２−７では、ＣＱＩ送信判定部２−６から、送信不可のチャネルクォリティインディケータ（ＣＱＩ）送信サブフレーム位置情報が入力された場合、そのときのチャネルクォリティインディケータ（ＣＱＩ）の値を保持し、その次に入力されるチャネルクォリティインディケータ（ＣＱＩ）の値と平均化する演算を行い、当該平均化したチャネルクォリティインディケータ（ＣＱＩ）の値を、次のチャネルクォリティインディケータ（ＣＱＩ）として、ＰＵＣＣＨ生成部２−８に出力する。
【００３４】
なお、ＣＱＩ平均処理部２−７は、ＣＱＩ送信判定部２−６から送信不能の判定結果が入力されないときは、ＣＱＩ測定部２−５で測定されたチャネルクォリティインディケータ（ＣＱＩ）をそのままＰＵＣＣＨ生成部２−８に出力する。
【００３５】
ＰＵＣＣＨ生成部２−８は、ＣＱＩ送信判定部２−６からの指示に従い、ＣＱＩ平均処理部２−７から出力されるチャネルクォリティインディケータ（ＣＱＩ）を、上り制御チャネル（ＰＵＣＣＨ）の該当サブフレームに挿入してサービング基地局へ送信する。
【００３６】
図２の構成例は、送信することができないタイミングのチャネルクォリティインディケータ（ＣＱＩ）を、次に送信可能なタイミングで送信するチャネルクォリティインディケータ（ＣＱＩ）に反映させる手法として、ＣＱＩ平均処理部２−７により平均化して反映させる手法を適用した構成例である。
【００３７】
しかし、反映させる手法はこれに限らず、送信することができないタイミングのチャネルクォリティインディケータ（ＣＱＩ）の値のデータを、次に送信可能なタイミングで送信するチャネルクォリティインディケータ（ＣＱＩ）の値のデータに追加して出力するという手法を適用することもできる。即ち、送信することができないタイミングのチャネルクォリティインディケータ（ＣＱＩ）の値のデータを、次に送信可能なタイミングで次のチャネルクォリティインディケータ（ＣＱＩ）の値のデータと共に送信する構成とすることができる。
【００３８】
また、送信することができないタイミングのチャネルクォリティインディケータ（ＣＱＩ）の値と、次に送信可能なタイミングで送信するチャネルクォリティインディケータ（ＣＱＩ）の値とに重みを付けた平均値を算出し、該平均値を次に送信可能なタイミングで送信するチャネルクォリティインディケータ（ＣＱＩ）として出力する構成とすることができる。
【図面の簡単な説明】
【００３９】
【図１】開示のチャネルクォリティインディケータ（ＣＱＩ）の送信動作例を示す図である。
【図２】チャネルクォリティインディケータ（ＣＱＩ）の送信機能の構成例を示す図である。
【図３】間欠受信（ＤＲＸ）制御の説明図である。
【図４】チャネルクォリティインディケータ（ＣＱＩ）の送信動作例を示す図である。
【図５】モニタ期間延長時のチャネルクォリティインディケータ（ＣＱＩ）の送信動作例を示す図である。
【符号の説明】
【００４０】
２−１  オン・デュレーション・タイマ
２−２  ＰＤＣＣＨモニタ部
２−３  不活性化タイマ（Inactivity Timer）部
２−４  ＣＱＩ送信スケジューリング部
２−５  ＣＱＩ測定部
２−６  ＣＱＩ送信判定部
２−７  ＣＱＩ平均処理部
２−８  ＰＵＣＣＨ生成部
【図１】
2010141666.tif 000003
【図２】
2010141666.tif 000004
【図３】
2010141666.tif 000005
【図４】
2010141666.tif 000006
【図５】
2010141666.tif 000007